(57)【特許請求の範囲】
【請求項１】
一枚の段ボールシートからなり、
前後方向に連接され、組立時に四角筒状部を構成する四つのパネルと、
この四つのパネルの左右方向両側縁から突設され、スロットによって互いに切離された四対のフラップとを備え、
上記パネルとフラップとの間にそれぞれ前後方向に伸びる折り曲げ容易線が形成される段ボール箱用シートであって、
各パネル間に左右方向に伸び、上記スロットに至らない罫線が形成され、
上記スロットが、近接する罫線の端点に向けて上記折り曲げ容易線より左右方向中央側に延出するスロット先端部を有し、
上記スロット先端部が、対向する上記フラップの側縁からそれぞれ略連続する第１側縁エッジ及び第２側縁エッジを有し、
上記第１側縁エッジが略左右方向に伸びるよう形成され、
上記第２側縁エッジが先端側ほど上記第１側縁エッジに接近するよう形成されていることを特徴とする段ボール箱用シート。
【請求項２】
上記第１側縁エッジと上記第２側縁エッジとの間に鋭角が形成される請求項１に記載の段ボール箱用シート。
【請求項３】
上記第２側縁エッジの上記罫線に対する傾斜角度が６０°以下である請求項１又は請求項２に記載の段ボール箱用シート。
【請求項４】
上記罫線から上記スロット先端部までの最短距離が３ｍｍ以上５０ｍｍ以下である請求項１、請求項２又は請求項３に記載の段ボール箱用シート。
【請求項５】
請求項１から請求項４のいずれか１項に記載の段ボール箱用シートを組み立ててなる段ボール箱。
【発明の詳細な説明】
【技術分野】
【０００１】
本発明は、段ボール箱用シート及び段ボール箱に関する。
【背景技術】
【０００２】
段ボールシートからなり、商品等を収容する段ボール箱は、輸送や保管の際に、積み重ねられることが多い。このため、段ボール箱は、収容した商品へのダメージを防止するために、十分な圧縮強度を有することが求められる。
【０００３】
一般に、段ボール箱は、平面視四隅（角部）における座屈強度が最も大きくなり、側面パネルの中央部が最も座屈しやすい。つまり、段ボール箱は、側面パネルの上下側縁の中央部に荷重が集中すると、比較的潰れやすくなるという問題がある。
【０００４】
そこで、側面パネルと天面パネル及び底面パネルとの間の罫線を、その中央部が側面パネル中央側に後退するよう湾曲させることによって、段ボール箱の角部の高さが中央部よりも高くなるようにし、角部に荷重を集中させることで圧縮強度を高めることが提案されている（特開２００７−３９０９０号公報参照）。
【０００５】
特開２００７−３９０９０号公報の構成では、圧縮強度の向上が不十分である場合があると共に、側面パネル中央が側方に張り出た胴膨れの状態となることにより、側面パネルの印刷が擦れて汚れやすくなる問題も生じる。
【先行技術文献】
【特許文献】
【０００６】
【特許文献１】特開２００７−３９０９０号公報
【発明の概要】
【発明が解決しようとする課題】
【０００７】
上記不都合に鑑みて、本発明は、圧縮強度が大きい段ボール箱を形成できる段ボール箱用シート及び圧縮強度が大きい段ボール箱を提供することを課題とする。
【課題を解決するための手段】
【０００８】
上記課題を解決するためになされた発明は、一枚の段ボールシートからなり、前後方向に連接され、組立時に四角筒状部を構成する四つのパネルと、この四つのパネルの左右方向両側縁から突設され、スロットによって互いに切離された四対のフラップとを備え、上記パネルとフラップとの間にそれぞれ前後方向に伸びる折り曲げ容易線が形成される段ボール箱用シートであって、各パネル間に左右方向に伸び、上記スロットに至らない罫線が形成され、上記スロットが、近接する罫線の端点に向けて上記折り曲げ容易線より左右方向中央側に延出するスロット先端部を有し、上記スロット先端部が、対向する上記フラップの側縁からそれぞれ略連続する第１側縁エッジ及び第２側縁エッジを有し、上記第１側縁エッジが略左右方向に伸びるよう形成され、上記第２側縁エッジが先端側ほど上記第１側縁エッジに接近するよう形成されていることを特徴とする。
【０００９】
当該段ボール箱用シートは、四角筒状部を構成すべくパネルを折り曲げる際に、パネル間に折り曲げ線が形成されつつ、この折り曲げ線を介してパネル同士が折り曲げられる。この折り曲げ線は、パネルの左右方向中央の罫線が形成されている部分においては罫線に沿って形成され、パネルの左右両側の罫線が形成されていない部分においては罫線の端点とスロット先端部の近位点とを結ぶように形成されやすい。このような折り曲げ線を介してパネル同士が折り曲げられた四角筒状部を備える段ボール箱は、角部の高さが側面パネル中央部よりも大きくなり、角部に荷重が集中することによって、大きい圧縮強度を発揮する。また、当該段ボール箱用シートは、段ボールシートの厚さ全体にわたって形成されるスロット先端部により、罫線から斜めに伸びる折り曲げ線の形成を誘導するので、段ボールシートの内面のみに形成される罫線と比べて、角部における曲げ位置の精度が高い。これにより、側面パネルの膨らみが小さくても角部を確実に突出させられるので、胴膨れ感がなく、側面が擦れにくい。
【００１０】
上記第１側縁エッジと上記第２側縁エッジとの間に鋭角が形成されるとよい。このように、スロット先端部が鋭角を形成することにより、当該段ボール箱用シートを折り曲げる力が鋭角に集中するため、この鋭角と罫線の端点とを結ぶ折り曲げ線をより確実に形成できる。これにより、当該段ボール箱用シートを組み立てた段ボール箱の圧縮強度をより確実に大きくできると共に、胴膨れを抑制できる。
【００１１】
上記第２側縁エッジの上記罫線に対する傾斜角度としては、６０°以下が好ましい。このように、第２側縁エッジの傾斜角度を上記上限以下とすることにより、第２側縁エッジの先端と罫線の端点との間の曲げ強度を極小化でき、パネル間の折り曲げ線の端部を斜めに誘導して、当該段ボール箱用シートを組み立てた段ボール箱の圧縮強度をより確実に大きくできる。
【００１２】
上記罫線から上記スロット先端部までの距離としては、３ｍｍ以上５０ｍｍ以下が好ましい。罫線とスロット先端部までの距離を上記範囲とすることにより、当該段ボール箱用シートを組み立てた段ボール箱の角部の高さを適度に大きくでき、胴膨れ感をより小さくしながら圧縮強度を大きくできる。
【００１３】
また、別の本発明は、上記段ボール箱用シートを組み立ててなる段ボール箱である。当該段ボール箱は、上記段ボール箱用シートを組み立ててなるので、上述のように角部の高さが大きく、圧縮強度が大きい。
【発明の効果】
【００１４】
本発明の段ボール箱用シートは、スロットに至らない罫線と、第１側縁エッジ及び第２側縁エッジを有するスロット先端部とを有することにより、パネル間の折り曲げ線の端部を傾斜させ、角部の高さが大きく圧縮強度が大きいと共に、胴膨れが小さく側面が擦れにくい段ボール箱を形成できる。
【図面の簡単な説明】
【００１５】
【図１】本発明の一実施形態の段ボール箱用シートを示す模式的展開図である。
【図２】図１の段ボール箱用シートの部分拡大図である。
【図３】図１の段ボール箱用シートを組み立ててなる段ボール箱の模式的斜視図である。
【図４】図１とは異なる実施形態の段ボール箱用シートを示す模式的展開図である。
【図５】図１及び図４とは異なる実施形態の段ボール箱用シートを示す模式的展開図である。
【発明を実施するための形態】
【００１６】
以下、適宜図面を参照しつつ、本発明の実施の形態を詳説する。
【００１７】
［段ボール箱用シート］
図１の段ボール箱用シート１は、前後方向に連接された第１側面パネル２、底面パネル３、第２側面パネル４及び天面パネル５と、組立時に第１側面パネル２の下縁と天面パネル５の後側の側縁とを接続して四角筒状部を構成するために天面パネル５の後側の側縁から突設された貼着片６と、第１側面パネル２の左右両側縁からそれぞれ突設された一対の内フラップ７ａ，７ｂと、底面パネル３の左右両側縁からそれぞれ突設された一対の外フラップ８ａ，８ｂと、第２側面パネル４の左右両側縁からそれぞれ突設された一対の内フラップ９ａ，９ｂと、天面パネル５の左右両側縁からそれぞれ突設された一対の外フラップ１０ａ，１０ｂとを有する。
【００１８】
内フラップ７ａ，７ｂと外フラップ８ａ，８ｂとは、両者の間にそれぞれ第１スロット１１ａ，１１ｂが形成されて互いに切離されている。外フラップ８ａ，８ｂと内フラップ９ａ，９ｂとは、両者の間にそれぞれ第２スロット１２ａ，１２ｂが形成されて互いに切離されている。内フラップ９ａ，９ｂと外フラップ１０ａ，１０ｂとは、両者の間にそれぞれ第３スロット１３ａ，１３ｂが形成されて互いに切離されている。また、貼着片６を第１側面パネル２の前縁に貼着して組み立てたときに形成される四角筒状部において、二点鎖線で示すように、外フラップ１０ａ，１０ｂと内フラップ７ａ，７ｂとの間には第４スロット１４ａ，１４ｂが形成されるようになっている。
【００１９】
第１側面パネル２、底面パネル３、第２側面パネル４及び天面パネル５と、内フラップ７ａ，７ｂ、外フラップ８ａ，８ｂ、内フラップ９ａ，９ｂ及び外フラップ１０ａ，１０ｂとの間には、それぞれ第１折り曲げ容易線１５ａ，１５ｂ、第２折り曲げ容易線１６ａ，１６ｂ、第３折り曲げ容易線１７ａ，１７ｂ及び第４折り曲げ容易線１８ａ，１８ｂ（細い実線で図示）が段ボールシートの内面（組立時に内側に配置される面）を型押しすることにより形成されている。
【００２０】
第１側面パネル２、底面パネル３、第２側面パネル４、天面パネル５及び貼着片６の間には、それぞれ第１スロット１１ａ，１１ｂ、第２スロット１２ａ，１２ｂ、第３スロット１３ａ，１３ｂ及び第４スロット１４ａ，１４ｂに至らない第１罫線１９、第２罫線２０、第３罫線２１及び第４罫線２２（細い実線で図示）が段ボールシートの内面を型押しすることにより形成されている。
【００２１】
第１スロット１１ａ，１１ｂ、第２スロット１２ａ，１２ｂ、第３スロット１３ａ，１３ｂ及び第４スロット１４ａ，１４ｂは、それぞれ左右方向の奥部に、近接する第１罫線１９、第２罫線２０、第３罫線２１及び第４罫線２２の端点に向けて第１折り曲げ容易線１５ａ，１５ｂ、第２折り曲げ容易線１６ａ，１６ｂ、第３折り曲げ容易線１７ａ，１７ｂ及び第４折り曲げ容易線１８ａ，１８ｂより左右方向中央側に延出する第１スロット先端部２３ａ，２３ｂ、第２スロット先端部２４ａ，２４ｂ、第３スロット先端部２５ａ，２５ｂ及び第４スロット先端部２６ａ，２６ｂを有する。
【００２２】
左側の第１スロット先端部２３ａと対をなす右側の第１スロット先端部２３ｂは、底面パネル３の中心を挟んで左側の第１スロット先端部２３ａと左右対称に形成されている。また、第２スロット先端部２４ａ，２４ｂは、底面パネル３の中心を挟んで、第１スロット先端部２３ａ，２３ｂと前後対称に形成されている。
【００２３】
同様に、左側の第３スロット先端部２５ａと右側の第３スロット先端部２５ｂとは、天面パネル５の中心を挟んで左右対称に形成されており、これらの第３スロット先端部２５ａ，２５ｂと第４スロット先端部２６ａ，２６ｂとは、天面パネル５の中心を挟んで前後対称に形成されている。
【００２４】
さらに、図１の段ボール箱用シート１においては、第１スロット先端部２３ａ，２３ｂ及び２スロット先端部２４ａ，２４ｂと、第３スロット先端部２５ａ，２５ｂ及び第４スロット先端部２６ａ，２６ｂとは、第２側面パネル４の中心を挟んで前後対称に形成されている。
【００２５】
従って、第１スロット先端部２３ａ，２３ｂ、２スロット先端部２４ａ，２４ｂ、第３スロット先端部２５ａ，２５ｂ及び第４スロット先端部２６ａ，２６ｂは、形状が互いに同一又は対称である。このため、第１スロット先端部２３ａ，２３ｂ、２スロット先端部２４ａ，２４ｂ、第３スロット先端部２５ａ，２５ｂ及び第４スロット先端部２６ａ，２６ｂは、共通の作用効果を奏するものである。そこで、代表して第１スロット先端部２３ａについて、図１の第１スロット先端部２３ａの近傍領域Ｒを拡大して示す図２を参照しながら、その形状及び作用について詳説する。
【００２６】
図２に詳細に示すように、左側の第１スロット先端部２３ａは、その形状が前後非対称であって、第１スロット１１ａによって内フラップ７ａから切離された外フラップ８ａの前側の側縁から実質的に連続する直線状の第１側縁エッジ２７と、外フラップ８ａと対向する内フラップ７ａの後側の側縁から実質的に連続し、罫線１９に対して傾斜して伸び、第１側縁エッジ２７との間に鋭角を形成する第２側縁エッジ２８とを有する。
【００２７】
内フラップ７ａの基端となる第１折り曲げ容易線１５ａは、外フラップ８ａの基端となる第２折り曲げ容易線１６ａよりも当該段ボール箱用シート１の厚さよりも小さい距離だけ左右方向中央寄りに形成されている。これにより、組立時に内フラップ７ａの外側に外フラップ８ａを貼着しやすくしている。
【００２８】
第２側縁エッジ２８は、内フラップ７ａの後側の側縁と第２折り曲げ容易線１６ａの延長線とが交差する位置から第１折り曲げ容易線１５ａを超えて第１側縁エッジ２７に向かって斜めに伸びている。より具体的には、第２側縁エッジ２８は、前後方向外フラップ８ａ側ほど近接する罫線１９の端点との距離が小さくなるようになっている。
【００２９】
このように、第１スロット先端部２３ａは、第１側縁エッジ２７と第２側縁エッジ２８との角において罫線１９の端点からの距離が最も小さくなっている。このため、当該段ボール箱用シート１を罫線１９に沿って折り曲げたとき、罫線１９が形成されていない部分では、罫線１９の延長線上で折り曲げるよりも罫線１９の端点と第１側縁エッジ２７及び第２側縁エッジ２８間の角とを結ぶ線状で折り曲げる方が、横断距離が小さくなるので折り曲げ抵抗が小さい。また、当該段ボール箱用シート１に折り曲げ応力が作用したとき、第１側縁エッジ２７及び第２側縁エッジ２８間の角には折り曲げ応力が集中しやすい。このため、当該段ボール箱用シート１は、第１側縁エッジ２７及び第２側縁エッジ２８間の角を基端とする折り曲げ線を形成するよう折れ曲がりやすい。このようにして、当該段ボール箱用シート１は、罫線１９が存在する範囲では罫線１９に沿って折れ曲がり、罫線１９が存在しない領域では、罫線１９の端点と第１スロット先端部２３ａの第１側縁エッジ２７及び第２側縁エッジ２８間の角とを結ぶ折り曲げ線を形成するよう折れ曲がる。
【００３０】
このように当該段ボール箱用シート１を組み立ててなる段ボール箱は、図３に示すように、第１側面パネル２及び第２側面パネル４の左右方向両端部における高さが左右方向中央部における高さよりも大きくなり、この段ボール箱を積み重ねたとき、平面視で左右両端、つまり底面パネル３及び天面パネル５の左右方向両端に上の段ボール箱の荷重が集中する。第１側面パネル２及び第２側面パネル４により構成される段ボール箱の側面と、内フラップ７ａ，７ｂ、９ａ，９ｂ及び外フラップ８ａ，８ｂ、１０ａ，１０ｂにより形成される段ボール箱の端面との間の角部は、側面と端面とが互いの折れ曲がりを防止し合うため特に座屈強度が大きい。よって、平面視で左右両端に上の段ボール箱の荷重が集中するこの段ボール箱は、座屈強度が大きい角部で上の段ボール箱の荷重を受けるので圧縮強度が大きい。
【００３１】
さらに詳しく説明すると、第１スロット先端部２３ａは、左右方向に折り曲げ線を形成するよう応力を集中するため、第１側縁エッジ２７及び第２側縁エッジ２８間の角から左右方向に折り曲げ線が延出しやすい。また、罫線１９の端点からは、罫線１９の影響により左右方向に折り曲げ線が延出しやすい。従って、これらの折り曲げ線を滑らかに接続した緩やかなＳ字状の折り曲げ線が形成されやすい。これにより、当該段ボール箱用シート１を組み立てた段ボール箱において、角部が高くなっていることが目立ちにくい。
【００３２】
また、当該段ボール箱用シート１は、段ボールシートの厚さ全体にわたって画定される第１スロット先端部２３ａによって第１側面パネル２と底面パネル３との間に折り曲げ線が形成される位置を定める。このため、段ボールシートの内面にのみ形成した罫線の端部を傾斜させて段ボール箱の角部を高くする場合と比べて、第１側面パネル２と底面パネル３との間の折り曲げ線の端部の位置を正確に定められる。これにより、段ボール箱の圧縮強度を大きくしながら、第１側面パネル２の左右方向中央部との間に形成される折り曲げ線の両端の傾斜する部分の長さを小さくでき、かつ段ボール箱の角部と中央部との高さの差を小さくできる。従って、当該段ボール箱用シート１を組み立ててなる段ボール箱は、胴膨れが小さく、側面の擦れによる印刷の汚れが生じにくい。
【００３３】
また、当該段ボール箱用シート１では、第１折り曲げ容易線１５ａが第２折り曲げ容易線１６ａよりも左右方向中央寄りに形成されているので、第１折り曲げ容易線１５ａが第２側縁エッジ２８の途中に交差する。これにより、当該段ボール箱用シート１を組み立てた段ボール箱の角に第１スロット先端部２３ａにより形成される開口又は隙間が小さくなる。
【００３４】
第２側縁エッジ２８の罫線１９に対する傾斜角度の下限としては、２５°が好ましく、３０°がより好ましい。一方、第２側縁エッジ２８の罫線１９に対する傾斜角度の上限としては、６０°が好ましく、５５°がより好ましい。第２側縁エッジ２８の上記傾斜角度が上記下限未満であると、第１スロット先端部２３ａが左右方向に長く伸びることになるので、当該段ボール箱用シート１を組み立てた段ボール箱にできる隙間が大きくなるおそれや、第１スロット先端部２３ａから破れやすくなるおそれがある。第２側縁エッジ２８の上記傾斜角度が上記上限を超えると、第２側縁エッジ２８上の位置の変化に対する罫線１９からの距離の変化率が小さくなり、罫線１９の端点から伸びる折り曲げ線を第１側縁エッジ２７及び第２側縁エッジ２８間の角に確実に誘導できなくなるおそれがある。
【００３５】
第１スロット先端部２３ａの第１折り曲げ容易線１５ａから第１側縁エッジ２７及び第２側縁エッジ２８間の角までの左右方向の延出長さの下限としては、２ｍｍが好ましく３ｍｍがより好ましい。一方、上記第１スロット先端部２３ａの延出長さの上限としては、１０ｍｍが好ましく、８ｍｍがより好ましい。上記第１スロット先端部２３ａの延出長さが上記下限であると、第１折り曲げ容易線１５ａの影響により、罫線１９の端点から第１側縁エッジ２７及び第２側縁エッジ２８間の角に確実に折り曲げを誘導できないおそれがある。上記第１スロット先端部２３ａの延出長さが上記上限を超えると、当該段ボール箱用シート１を組み立てた段ボール箱に隙間ができるおそれや、第１スロット先端部２３ａから破れやすくなるおそれがある。
【００３６】
罫線１９から第１スロット先端部２３ａまでの最短距離の下限としては、３ｍｍが好ましく、５ｍｍがより好ましい。一方、罫線１９から第１スロット先端部２３ａまでの最短距離の上限としては、５０ｍｍが好ましく、３０ｍｍがより好ましい。罫線１９から第１スロット先端部２３ａまでの最短距離が上記下限未満であると、当該段ボール箱用シート１が罫線１９の延長線に沿って折れ曲がり、第１側縁エッジ２７及び第２側縁エッジ２８間の角に向かって折り曲げを誘導できないおそれがある。罫線１９から第１スロット先端部２３ａまでの最短距離が上記上限を超えると、罫線１９が短くなるので、当該段ボール箱用シート１を組み立てた段ボール箱が胴膨れした形状となるおそれや、第１側面パネル２の印刷が擦れて汚れやすくなるおそれがある。
【００３７】
第１スロット先端部２３ａの第１側縁エッジ２７及び第２側縁エッジ２８間の角から罫線１９までの前後方向の距離の下限としては、３ｍｍが好ましく４ｍｍがより好ましい。一方、第１側縁エッジ２７及び第２側縁エッジ２８間の角から罫線１９までの前後方向の距離の上限としては、８ｍｍが好ましく７ｍｍがより好ましい。第１側縁エッジ２７及び第２側縁エッジ２８間の角から罫線１９までの前後方向の距離が上記下限未満であると、当該段ボール箱用シート１を組み立てた段ボール箱の角部と中央部との高さの差が小さくなり、十分な圧縮強度が得られないおそれがある。第１側縁エッジ２７及び第２側縁エッジ２８間の角から罫線１９までの前後方向の距離が上記上限を超えると、当該段ボール箱用シート１を組み立てた段ボール箱が胴膨れした形状となるおそれや、第１側面パネル２の印刷が擦れて汚れやすくなるおそれがある。
【００３８】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００３９】
例として、スロット先端部の第１側縁エッジは、フラップの側縁に対して傾斜してもよい。また第１側縁エッジ及び第２側縁エッジが曲線であってもよい。第１側縁エッジと第２側縁エッジとの間には曲げ応力を集中させるために角が形成されることが好ましいが、曲線で接続されていても第２側縁エッジと罫線との距離が最短となる線に沿って折り曲げられるように誘導する効果が得られる。
【００４０】
また、上記実施形態では、すべてのスロットに第１側縁エッジ及び傾斜した第２側縁エッジを有するスロット先端部が設けられているが、組立時に上下いずれかに位置する四つスロットのみに第１側縁エッジ及び第２側縁エッジを有するスロット先端部を設けてもよい。
【００４１】
例えば、図４に示す段ボール箱用シート１Ａのように、組立時に上側に位置する第３スロット１３ａ，１３ｂ及び第４スロット１４ａ，１４ｂのみが図１の段ボール箱シート１と同様の第２側縁エッジ２５，２６を有してもよい。図４の段ボール箱用シート１Ａにおいて、組立時に下側に位置する第１スロット１１ａ，１１ｂ及び第２スロット１２ａ，１２ｂは、その左右方向奥端が内フラップ７ａ，７ｂ及び９ａ，９ｂの基端となる折り曲げ容易線１５ａ，１５ｂ及び１７ａ，１７ｂまでで終端する半円形のエッジを有する。図４の段ボール箱用シート１Ａにおいて、上記構成以外は、図１の段ボール箱シート１と同様であるため、同一の構成要素に同一の符号を付して説明を省略する。
【００４２】
また、図５に示す段ボール箱用シート１Ｂのように、組立時に下側に位置する第１スロット１１ａ，１１ｂ及び第２スロット１２ａ，１２ｂのみが図１の段ボール箱シート１と同様の第２側縁エッジ２３，２４を有してもよい。図５の段ボール箱用シート１Ｂにおいて、組立時に上側に位置する第３スロット１３ａ，１３ｂ及び第４スロット１４ａ，１４ｂは、その左右方向奥端が内フラップ７ａ，７ｂ及び９ａ，９ｂの基端となる折り曲げ容易線１５ａ，１５ｂ及び１７ａ，１７ｂの延長線上に位置する直線上に直線状のエッジを有するコの字型の形状を有する。図５の段ボール箱用シート１Ｂにおいて、上記構成以外は、図１の段ボール箱シート１と同様であるため、同一の構成要素に同一の符号を付して説明を省略する。
【００４３】
また、上記実施形態は、側面パネルと天面パネルとが貼着片により張り合わされるが、底面パネルと側面パネルとが貼着片により張り合わされるものであってもよい。
【実施例】
【００４４】
以下、実施例に基づき本発明を詳述するが、この実施例の記載に基づいて本発明が限定的に解釈されるものではない。
【００４５】
長さ４６０ｍｍ、幅３１０ｍｍ、高さ２３０ｍｍのラップアラウンド式段ボール箱として組み立て可能な段ボール箱用シートの実施例１〜３及び比較例１を試作した。
【００４６】
実施例１〜３及び比較例１の段ボール箱用シートは、スロット幅が７ｍｍ、側面パネルと内フラップとの間の折り曲げ容易線が底面パネル及び天面パネルと外フラップとの間の折り曲げ容易線よりも中央側に２ｍｍオフセットされている。
【００４７】
実施例１〜３の段ボール箱用シートにおいて、側面パネルと内フラップとの間の折り曲げ容易線からスロット先端部の第１側縁エッジと第２側縁エッジとの角までの左右方向の延出長さはいずれも３ｍｍとし、罫線の端点からスロット先端部の第１側縁エッジと第２側縁エッジとの角までの左右方向の距離はいずれも１７ｍｍとした。この条件では、第２側縁エッジの罫線に対する傾斜角度が約５３°となった。比較例１の段ボール箱用シートは、スロットの左右方向奥端が側面パネルと内フラップとの間の折り曲げ容易線の延長線と接する半円状のエッジを有するものとした。比較例１では、罫線は、上記スロットの左右方向奥端の半円状のエッジまで至るよう形成した。
【００４８】
実施例１〜３及び比較例１の段ボール箱用シートは、外フラップの内フラップに対向する側縁（実施例１〜３における第１側縁エッジ）と罫線との前後方向（組み立てた段ボール箱における上下方向）の距離が、表１に示す距離とされた。
【００４９】
これらの段ボール箱用シートを組み立てて段ボール箱を形成し、それぞれの段ボール箱の圧縮強度をそれぞれ２回測定し、平均値を算出した。この結果を表１に併せて示す。
【００５０】
（圧縮強度）
圧縮強度は、ＪＩＳ−Ｚ−０４０３−２（１９９９）に準拠して測定した垂直圧縮強さの値である。
【００５１】
【表１】
0005486729.tif 000002
【００５２】
このように、第１側縁エッジから罫線までの前後方向の距離を大きくした実施例１及び実施例２は、従来のスロットを有する段ボール箱の圧縮強度を比較例１と比べて大きくできた。実施例３については、測定値のばらつきが大きいことから、比較例１と有意な差を認めることはできなかった。
【産業上の利用可能性】
【００５３】
本発明の段ボール箱用シート及び段ボール箱は、ラップアラウンドケースとして好適に利用できる。
【符号の説明】
【００５４】
１  段ボール箱用シート
２  第１側面パネル
３  底面パネル
４  第２側面パネル
５  天面パネル
６  貼着片
７ａ，７ｂ  内フラップ
８ａ，８ｂ  外フラップ
９ａ，９ｂ  内フラップ
１０ａ，１０ｂ  外フラップ
１１ａ，１１ｂ  第１スロット
１２ａ，１２ｂ  第２スロット
１３ａ，１３ｂ  第３スロット
１４ａ，１４ｂ  第４スロット
１５ａ，１５ｂ  第１折り曲げ容易線
１６ａ，１６ｂ  第２折り曲げ容易線
１７ａ，１７ｂ  第３折り曲げ容易線
１８ａ，１８ｂ  第４折り曲げ容易線
１９  第１罫線
２０  第２罫線
２１  第３罫線
２２  第４罫線
２３ａ，２３ｂ  第１スロット先端部
２４ａ，２４ｂ  第２スロット先端部
２５ａ，２５ｂ  第３スロット先端部
２６ａ，２６ｂ  第４スロット先端部
２７  第１側縁エッジ
２８  第２側縁エッジ
【要約】
【課題】圧縮強度が大きい段ボール箱を形成できる段ボール箱用シートを提供する。
【解決手段】一枚の段ボールシートからなり、前後方向に連接され、組立時に四角筒状部を構成する四つのパネルと、この四つのパネルの左右方向両側縁から突設され、スロットによって互いに切離された四対のフラップとを備え、上記パネルとフラップとの間にそれぞれ前後方向に伸びる折り曲げ容易線が形成される段ボール箱用シートであって、各パネル間に左右方向に伸び、上記スロットに至らない罫線が形成され、上記スロットが、近接する罫線の端点に向けて上記折り曲げ容易線より左右方向中央側に延出するスロット先端部を有し、上記スロット先端部が、対向する上記フラップの側縁からそれぞれ略連続する第１側縁エッジ及び第２側縁エッジを有し、上記第１側縁エッジが略左右方向に伸び、上記第２側縁エッジが先端側ほど上記第１側縁エッジ接近するよう形成されている。
【選択図】図１【図１】
0005486729.tif 000003
【図２】
0005486729.tif 000004
【図３】
0005486729.tif 000005
【図４】
0005486729.tif 000006
【図５】
0005486729.tif 000007